(57)【特許請求の範囲】
【請求項１】
１以上の低密度波長分割多重伝送システム用の光送信ユニットと、
複数の高密度波長分割多重伝送システム用の光送信ユニットと、
前記複数の高密度波長分割多重伝送システム用の光送信ユニットから出力された光を合波するための第１の光合波ユニットと、
前記１以上の低密度波長分割多重伝送システム用の光送信ユニットから出力された光と、前記第１の光合波ユニットから出力された光とを合波するための第２の光合波ユニットと、
を備える送信側波長分割多重装置と、
前記１以上の低密度波長分割多重伝送システム用の光送信ユニットにそれぞれ対応した１以上の低密度波長分割多重伝送システム用の光受信ユニットと、
前記複数の高密度波長分割多重伝送システム用の光送信ユニットにそれぞれ対応した複数の高密度波長分割多重伝送システム用の光受信ユニットと、
入力した光を前記複数の高密度波長分割多重伝送システム用の光受信ユニットに分配するための第１の光分波ユニットと、
前記送信側波長分割多重装置から入力した光を前記１以上の低密度波長分割多重伝送システム用の光受信ユニットと前記第１の光分波ユニットに分配するための第２の光分波ユニットと、
を備える受信側波長分割多重分離装置と、
を備える波長分割多重システムであって、
前記複数の高密度波長分割多重伝送システム用の光送信ユニットの数及び波長並びに／又は前記複数の高密度波長分割多重伝送システム用の光受信ユニットの数及び波長を、前記第１の光合波ユニットの波長透過特性、前記第２の光合波ユニットの波長透過特性、前記第１の光分波ユニットの波長透過特性及び前記第２の光分波ユニットの波長透過特性により影響を受けた品質特性に基づいて決める手段を更に備えることを特徴とする波長分割多重システム。
【請求項２】
１以上の低密度波長分割多重伝送システム用の光送信ユニットと、
複数の高密度波長分割多重伝送システム用の光送信ユニットと、
前記複数の高密度波長分割多重伝送システム用の光送信ユニットから出力された光を合波するための第１の光合波ユニットと、
前記１以上の低密度波長分割多重伝送システム用の光送信ユニットから出力された光と、前記第１の光合波ユニットから出力された光とを合波するための第２の光合波ユニットと、
を備える送信側波長分割多重装置と、
前記１以上の低密度波長分割多重伝送システム用の光送信ユニットにそれぞれ対応した１以上の低密度波長分割多重伝送システム用の光受信ユニットと、
前記複数の高密度波長分割多重伝送システム用の光送信ユニットにそれぞれ対応した複数の高密度波長分割多重伝送システム用の光受信ユニットと、
入力した光を前記複数の高密度波長分割多重伝送システム用の光受信ユニットに分配するための第１の光分波ユニットと、
前記送信側波長分割多重装置から入力した光を前記１以上の低密度波長分割多重伝送システム用の光受信ユニットと前記第１の光分波ユニットに分配するための第２の光分波ユニットと、
を備える受信側波長分割多重分離装置と、
を備える波長分割多重システムにおける送信側波長分割多重装置であって、
前記複数の高密度波長分割多重伝送システム用の光送信ユニットの数及び波長を、前記第１の光合波ユニットの波長透過特性、前記第２の光合波ユニットの波長透過特性、前記第１の光分波ユニットの波長透過特性及び前記第２の光分波ユニットの波長透過特性により影響を受けた品質特性に基づいて決める手段を更に備えることを特徴とする送信側波長分割多重装置。
【請求項３】
１以上の低密度波長分割多重伝送システム用の光送信ユニットと、
複数の高密度波長分割多重伝送システム用の光送信ユニットと、
前記複数の高密度波長分割多重伝送システム用の光送信ユニットから出力された光を合波するための第１の光合波ユニットと、
前記１以上の低密度波長分割多重伝送システム用の光送信ユニットから出力された光と、前記第１の光合波ユニットから出力された光とを合波するための第２の光合波ユニットと、
を備える送信側波長分割多重装置と、
前記１以上の低密度波長分割多重伝送システム用の光送信ユニットにそれぞれ対応した１以上の低密度波長分割多重伝送システム用の光受信ユニットと、
前記複数の高密度波長分割多重伝送システム用の光送信ユニットにそれぞれ対応した複数の高密度波長分割多重伝送システム用の光受信ユニットと、
入力した光を前記複数の高密度波長分割多重伝送システム用の光受信ユニットに分配するための第１の光分波ユニットと、
前記送信側波長分割多重装置から入力した光を前記１以上の低密度波長分割多重伝送システム用の光受信ユニットと前記第１の光分波ユニットに分配するための第２の光分波ユニットと、
を備える受信側波長分割多重分離装置と、
を備える波長分割多重システムにおける受信側波長分割多重分離装置であって、
前記複数の高密度波長分割多重伝送システム用の光受信ユニットの数及び波長を、前記第１の光合波ユニットの波長透過特性、前記第２の光合波ユニットの波長透過特性、前記第１の光分波ユニットの波長透過特性及び前記第２の光分波ユニットの波長透過特性により影響を受けた品質特性に基づいて決める手段を更に備えることを特徴とする受信側波長分割多重分離装置。
【請求項４】
１以上の低密度波長分割多重伝送システム用の光送信ユニットと、
複数の高密度波長分割多重伝送システム用の光送信ユニットと、
前記複数の高密度波長分割多重伝送システム用の光送信ユニットから出力された光を合波するための第１の光合波ユニットと、
前記１以上の低密度波長分割多重伝送システム用の光送信ユニットから出力された光と、前記第１の光合波ユニットから出力された光とを合波するための第２の光合波ユニットと、
を備える送信側波長分割多重装置と、
前記１以上の低密度波長分割多重伝送システム用の光送信ユニットにそれぞれ対応した１以上の低密度波長分割多重伝送システム用の光受信ユニットと、
前記複数の高密度波長分割多重伝送システム用の光送信ユニットにそれぞれ対応した複数の高密度波長分割多重伝送システム用の光受信ユニットと、
入力した光を前記複数の高密度波長分割多重伝送システム用の光受信ユニットに分配するための第１の光分波ユニットと、
前記送信側波長分割多重装置から入力した光を前記１以上の低密度波長分割多重伝送システム用の光受信ユニットと前記第１の光分波ユニットに分配するための第２の光分波ユニットと、
を備える受信側波長分割多重分離装置と、
を備える波長分割多重システムのための選択用装置であって、
前記複数の高密度波長分割多重伝送システム用の光送信ユニットの数及び波長並びに／又は前記複数の高密度波長分割多重伝送システム用の光受信ユニットの数及び波長を、前記第１の光合波ユニットの波長透過特性、前記第２の光合波ユニットの波長透過特性、前記第１の光分波ユニットの波長透過特性及び前記第２の光分波ユニットの波長透過特性により影響を受けた品質特性に基づいて決める手段を備えることを特徴とする選択用装置。
【請求項５】
１以上の低密度波長分割多重伝送システム用の光送信ユニットと、
１以上の高密度波長分割多重伝送システム用の光送信ユニットと、
前記１以上の低密度波長分割多重伝送システム用の光送信ユニットから出力された光と、前記１以上の高密度波長分割多重伝送システム用の光送信ユニットから出力された光とを合波するための光合波ユニットと、
を備える送信側波長分割多重装置と、
前記１以上の低密度波長分割多重伝送システム用の光送信ユニットにそれぞれ対応した１以上の低密度波長分割多重伝送システム用の光受信ユニットと、
前記１以上の高密度波長分割多重伝送システム用の光送信ユニットにそれぞれ対応した１以上の高密度波長分割多重伝送システム用の光受信ユニットと、
前記送信側波長分割多重装置から入力した光を前記１以上の低密度波長分割多重伝送システム用の光受信ユニットと前記１以上の高密度波長分割多重伝送システム用の光受信ユニットに分配するための光分波ユニットと、
を備える受信側波長分割多重分離装置と、
を備える波長分割多重システムであって、
前記１以上の高密度波長分割多重伝送システム用の光送信ユニットの波長及び／又は前記１以上の高密度波長分割多重伝送システム用の光受信ユニットの波長を、前記光合波ユニットの波長透過特性及び前記光分波ユニットの波長透過特性により影響を受けた品質特性に基づいて決める手段を更に備えることを特徴とする波長分割多重システム。
【請求項６】
１以上の低密度波長分割多重伝送システム用の光送信ユニットと、
１以上の高密度波長分割多重伝送システム用の光送信ユニットと、
前記１以上の高密度波長分割多重伝送システム用の光送信ユニットから出力された光を合波するための第１の光合波ユニットと、
前記１以上の低密度波長分割多重伝送システム用の光送信ユニットから出力された光と、前記第１の光合波ユニットから出力された光とを合波するための第２の光合波ユニットと、
を備える送信側波長分割多重装置と、
前記１以上の低密度波長分割多重伝送システム用の光送信ユニットにそれぞれ対応した１以上の低密度波長分割多重伝送システム用の光受信ユニットと、
前記１以上の高密度波長分割多重伝送システム用の光送信ユニットにそれぞれ対応した１以上の高密度波長分割多重伝送システム用の光受信ユニットと、
入力した光を前記１以上の高密度波長分割多重伝送システム用の光受信ユニットに分配するための第１の光分波ユニットと、
前記送信側波長分割多重装置から入力した光を前記１以上の低密度波長分割多重伝送システム用の光受信ユニットと前記第１の光分波ユニットに分配するための第２の光分波ユニットと、
を備える受信側波長分割多重分離装置と、
を備える波長分割多重システムにおける送信側波長分割多重装置であって、
前記１以上の高密度波長分割多重伝送システム用の光送信ユニットの波長を、前記第１の光合波ユニットの波長透過特性、前記第２の光合波ユニットの波長透過特性、前記第１の光分波ユニットの波長透過特性及び前記第２の光分波ユニットの波長透過特性により影響を受けた品質特性に基づいて決める手段を更に備えることを特徴とする送信側波長分割多重装置。
【請求項７】
１以上の低密度波長分割多重伝送システム用の光送信ユニットと、
１以上の高密度波長分割多重伝送システム用の光送信ユニットと、
前記１以上の高密度波長分割多重伝送システム用の光送信ユニットから出力された光を合波するための第１の光合波ユニットと、
前記１以上の低密度波長分割多重伝送システム用の光送信ユニットから出力された光と、前記第１の光合波ユニットから出力された光とを合波するための第２の光合波ユニットと、
を備える送信側波長分割多重装置と、
前記１以上の低密度波長分割多重伝送システム用の光送信ユニットにそれぞれ対応した１以上の低密度波長分割多重伝送システム用の光受信ユニットと、
前記１以上の高密度波長分割多重伝送システム用の光送信ユニットにそれぞれ対応した１以上の高密度波長分割多重伝送システム用の光受信ユニットと、
入力した光を前記１以上の高密度波長分割多重伝送システム用の光受信ユニットに分配するための第１の光分波ユニットと、
前記送信側波長分割多重装置から入力した光を前記１以上の低密度波長分割多重伝送システム用の光受信ユニットと前記第１の光分波ユニットに分配するための第２の光分波ユニットと、
を備える受信側波長分割多重分離装置と、
を備える波長分割多重システムにおける受信側波長分割多重分離装置であって、
前記１以上の高密度波長分割多重伝送システム用の光受信ユニットの波長を、前記第１の光合波ユニットの波長透過特性、前記第２の光合波ユニットの波長透過特性、前記第１の光分波ユニットの波長透過特性及び前記第２の光分波ユニットの波長透過特性により影響を受けた品質特性に基づいて決める手段を更に備えることを特徴とする受信側波長分割多重分離装置。
【請求項８】
１以上の低密度波長分割多重伝送システム用の光送信ユニットと、
１以上の高密度波長分割多重伝送システム用の光送信ユニットと、
前記１以上の高密度波長分割多重伝送システム用の光送信ユニットから出力された光を合波するための第１の光合波ユニットと、
前記１以上の低密度波長分割多重伝送システム用の光送信ユニットから出力された光と、前記第１の光合波ユニットから出力された光とを合波するための第２の光合波ユニットと、
を備える送信側波長分割多重装置と、
前記１以上の低密度波長分割多重伝送システム用の光送信ユニットにそれぞれ対応した１以上の低密度波長分割多重伝送システム用の光受信ユニットと、
前記１以上の高密度波長分割多重伝送システム用の光送信ユニットにそれぞれ対応した１以上の高密度波長分割多重伝送システム用の光受信ユニットと、
入力した光を前記１以上の高密度波長分割多重伝送システム用の光受信ユニットに分配するための第１の光分波ユニットと、
前記送信側波長分割多重装置から入力した光を前記１以上の低密度波長分割多重伝送システム用の光受信ユニットと前記第１の光分波ユニットに分配するための第２の光分波ユニットと、
を備える受信側波長分割多重分離装置と、
を備える波長分割多重システムのための選択用装置であって、
前記１以上の高密度波長分割多重伝送システム用の光送信ユニットの波長及び／又は前記１以上の高密度波長分割多重伝送システム用の光受信ユニットの波長を、前記第１の光合波ユニットの波長透過特性、前記第２の光合波ユニットの波長透過特性、前記第１の光分波ユニットの波長透過特性及び前記第２の光分波ユニットの波長透過特性により影響を受けた品質特性に基づいて決める手段を備えることを特徴とする選択用装置。
【発明の詳細な説明】
【技術分野】
【０００１】
本発明は、低密度波長分割多重（ＣＷＤＭ(Coarse Wavelength Division Multiplexing)）伝送システムに高密度波長分割多重（ＤＷＤＭ(Dense Wavelength Division Multiplexing)）伝送システムを組み込んだ波長分割多重システム並びにそのシステムにおける送信側波長分割多重装置及び受信側波長分割多重分離装置に関する。
【背景技術】
【０００２】
波長分割多重伝送システムには高密度波長分割多重（ＤＷＤＭ）伝送システムと低密度波長分割多重（ＣＷＤＭ）伝送システムが存在する。ＤＷＤＭでは光信号の波長間隔が０．５〜２．０ｎｍ程度と狭く、ＣＷＤＭでは２０ｎｍ程度と広い。ＤＷＤＭ伝送システムを構成する部品は要求精度が高く、仕様を満たすために選別が必要となるため高価であるのに対して、ＣＷＤＭ伝送システムを構成する部品は要求精度が低いため安価である。
【０００３】
ＣＷＤＭ伝送システムは安価であるものの、波長間隔が広いため１本の光ファイバに割り当てることができる波長数が制限されるので、伝送容量の小さいメトロアクセス領域に適用されることが多いが、ＣＷＤＭ伝送システム導入後に帯域需要が増すと信号数を増加させる手段が必要となる。
【０００４】
そのためＣＷＤＭ伝送システムにＤＷＤＭ伝送システムを接続し、ＣＷＤＭ信号１波長の代わりにＤＷＤＭ信号を複数波長伝送することで信号を増設する方法が検討されている（例えば、特許文献１参照）。ＣＷＤＭ波長間隔２０ｎｍ、ＤＷＤＭ波長間隔０．８ｎｍの場合、理論上はＣＷＤＭ信号１波長に対してＤＷＤＭ信号２５波が収容可能である。
【先行技術文献】
【特許文献】
【０００５】
【特許文献１】特許第４４６３８０８号公報
【発明の概要】
【発明が解決しようとする課題】
【０００６】
しかし、ＣＷＤＭ伝送システムを構成する部品は要求精度が低いため、ＣＷＤＭ信号の波長間隔２０ｎｍ全域についてＤＷＤＭ信号を導通するのに必要な要求精度を満たすとは限らず、波長によってはＤＷＤＭ信号の伝送特性が劣化する。
【０００７】
また、通常２０ｎｍ間隔のＣＷＤＭ伝送システムのＣＷＤＭ信号は中心波長±６．５ｎｍの範囲内が許容範囲となるが、ＣＷＤＭ伝送システムにＤＷＤＭ伝送システムを接続する場合、範囲外の７ｎｍにさらに８波以上収容できる可能性がある。
【０００８】
そこで、本発明は、低密度波長分割多重伝送システムに高密度波長分割多重伝送システムを組み込んだ際に、品質特性を満たす限り、できる限り多くの高密度波長分割多重伝送システムの信号を増やすことを可能とする波長分割多重システム並びにそのシステムにおける送信側波長分割多重装置及び受信側波長分割多重分離装置を提供することを目的とする。
【課題を解決するための手段】
【０００９】
本発明の第１の観点によれば、１以上の低密度波長分割多重伝送システム用の光送信ユニットと、複数の高密度波長分割多重伝送システム用の光送信ユニットと、前記複数の高密度波長分割多重伝送システム用の光送信ユニットから出力された光を合波するための第１の光合波ユニットと、前記１以上の低密度波長分割多重伝送システム用の光送信ユニットから出力された光と、前記第１の光合波ユニットから出力された光とを合波するための第２の光合波ユニットと、を備える送信側波長分割多重装置と、前記１以上の低密度波長分割多重伝送システム用の光送信ユニットにそれぞれ対応した１以上の低密度波長分割多重伝送システム用の光受信ユニットと、前記複数の高密度波長分割多重伝送システム用の光送信ユニットにそれぞれ対応した複数の高密度波長分割多重伝送システム用の光受信ユニットと、入力した光を前記複数の高密度波長分割多重伝送システム用の光受信ユニットに分配するための第１の光分波ユニットと、前記送信側波長分割多重装置から入力した光を前記１以上の低密度波長分割多重伝送システム用の光受信ユニットと前記第１の光分波ユニットに分配するための第２の光分波ユニットと、を備える受信側波長分割多重分離装置と、を備える波長分割多重システムであって、前記複数の高密度波長分割多重伝送システム用の光送信ユニットの数及び波長並びに／又は前記複数の高密度波長分割多重伝送システム用の光受信ユニットの数及び波長を、前記第１の光合波ユニットの波長透過特性、前記第２の光合波ユニットの波長透過特性、前記第１の光分波ユニットの波長透過特性及び前記第２の光分波ユニットの波長透過特性により影響を受けた品質特性に基づいて決める手段を更に備えることを特徴とする波長分割多重システムが提供される。
【００１０】
本発明の第２の観点によれば、１以上の低密度波長分割多重伝送システム用の光送信ユニットと、複数の高密度波長分割多重伝送システム用の光送信ユニットと、前記複数の高密度波長分割多重伝送システム用の光送信ユニットから出力された光を合波するための第１の光合波ユニットと、前記１以上の低密度波長分割多重伝送システム用の光送信ユニットから出力された光と、前記第１の光合波ユニットから出力された光とを合波するための第２の光合波ユニットと、を備える送信側波長分割多重装置と、前記１以上の低密度波長分割多重伝送システム用の光送信ユニットにそれぞれ対応した１以上の低密度波長分割多重伝送システム用の光受信ユニットと、前記複数の高密度波長分割多重伝送システム用の光送信ユニットにそれぞれ対応した複数の高密度波長分割多重伝送システム用の光受信ユニットと、入力した光を前記複数の高密度波長分割多重伝送システム用の光受信ユニットに分配するための第１の光分波ユニットと、前記送信側波長分割多重装置から入力した光を前記１以上の低密度波長分割多重伝送システム用の光受信ユニットと前記第１の光分波ユニットに分配するための第２の光分波ユニットと、を備える受信側波長分割多重分離装置と、を備える波長分割多重システムにおける送信側波長分割多重装置であって、前記複数の高密度波長分割多重伝送システム用の光送信ユニットの数及び波長を、前記第１の光合波ユニットの波長透過特性、前記第２の光合波ユニットの波長透過特性、前記第１の光分波ユニットの波長透過特性及び前記第２の光分波ユニットの波長透過特性により影響を受けた品質特性に基づいて決める手段を更に備えることを特徴とする送信側波長分割多重装置が提供される。
【００１１】
本発明の第３の観点によれば、１以上の低密度波長分割多重伝送システム用の光送信ユニットと、複数の高密度波長分割多重伝送システム用の光送信ユニットと、前記複数の高密度波長分割多重伝送システム用の光送信ユニットから出力された光を合波するための第１の光合波ユニットと、前記１以上の低密度波長分割多重伝送システム用の光送信ユニットから出力された光と、前記第１の光合波ユニットから出力された光とを合波するための第２の光合波ユニットと、を備える送信側波長分割多重装置と、前記１以上の低密度波長分割多重伝送システム用の光送信ユニットにそれぞれ対応した１以上の低密度波長分割多重伝送システム用の光受信ユニットと、前記複数の高密度波長分割多重伝送システム用の光送信ユニットにそれぞれ対応した複数の高密度波長分割多重伝送システム用の光受信ユニットと、入力した光を前記複数の高密度波長分割多重伝送システム用の光受信ユニットに分配するための第１の光分波ユニットと、前記送信側波長分割多重装置から入力した光を前記１以上の低密度波長分割多重伝送システム用の光受信ユニットと前記第１の光分波ユニットに分配するための第２の光分波ユニットと、を備える受信側波長分割多重分離装置と、を備える波長分割多重システムにおける受信側波長分割多重分離装置であって、前記複数の高密度波長分割多重伝送システム用の光受信ユニットの数及び波長を、前記第１の光合波ユニットの波長透過特性、前記第２の光合波ユニットの波長透過特性、前記第１の光分波ユニットの波長透過特性及び前記第２の光分波ユニットの波長透過特性により影響を受けた品質特性に基づいて決める手段を更に備えることを特徴とする受信側波長分割多重分離装置が提供される。
【００１２】
本発明の第４の観点によれば、１以上の低密度波長分割多重伝送システム用の光送信ユニットと、複数の高密度波長分割多重伝送システム用の光送信ユニットと、前記複数の高密度波長分割多重伝送システム用の光送信ユニットから出力された光を合波するための第１の光合波ユニットと、前記１以上の低密度波長分割多重伝送システム用の光送信ユニットから出力された光と、前記第１の光合波ユニットから出力された光とを合波するための第２の光合波ユニットと、を備える送信側波長分割多重装置と、前記１以上の低密度波長分割多重伝送システム用の光送信ユニットにそれぞれ対応した１以上の低密度波長分割多重伝送システム用の光受信ユニットと、前記複数の高密度波長分割多重伝送システム用の光送信ユニットにそれぞれ対応した複数の高密度波長分割多重伝送システム用の光受信ユニットと、入力した光を前記複数の高密度波長分割多重伝送システム用の光受信ユニットに分配するための第１の光分波ユニットと、前記送信側波長分割多重装置から入力した光を前記１以上の低密度波長分割多重伝送システム用の光受信ユニットと前記第１の光分波ユニットに分配するための第２の光分波ユニットと、を備える受信側波長分割多重分離装置と、を備える波長分割多重システムのための選択用装置であって、前記複数の高密度波長分割多重伝送システム用の光送信ユニットの数及び波長並びに／又は前記複数の高密度波長分割多重伝送システム用の光受信ユニットの数及び波長を、前記第１の光合波ユニットの波長透過特性、前記第２の光合波ユニットの波長透過特性、前記第１の光分波ユニットの波長透過特性及び前記第２の光分波ユニットの波長透過特性により影響を受けた品質特性に基づいて決める手段を備えることを特徴とする選択用装置が提供される。
【００１３】
本発明の第５の観点によれば、１以上の低密度波長分割多重伝送システム用の光送信ユニットと、１以上の高密度波長分割多重伝送システム用の光送信ユニットと、前記１以上の低密度波長分割多重伝送システム用の光送信ユニットから出力された光と、前記１以上の高密度波長分割多重伝送システム用の光送信ユニットから出力された光とを合波するための光合波ユニットと、を備える送信側波長分割多重装置と、前記１以上の低密度波長分割多重伝送システム用の光送信ユニットにそれぞれ対応した１以上の低密度波長分割多重伝送システム用の光受信ユニットと、前記１以上の高密度波長分割多重伝送システム用の光送信ユニットにそれぞれ対応した１以上の高密度波長分割多重伝送システム用の光受信ユニットと、前記送信側波長分割多重装置から入力した光を前記１以上の低密度波長分割多重伝送システム用の光受信ユニットと前記１以上の高密度波長分割多重伝送システム用の光受信ユニットに分配するための光分波ユニットと、を備える受信側波長分割多重分離装置と、を備える波長分割多重システムであって、前記１以上の高密度波長分割多重伝送システム用の光送信ユニットの波長及び／又は前記１以上の高密度波長分割多重伝送システム用の光受信ユニットの波長を、前記光合波ユニットの波長透過特性及び前記光分波ユニットの波長透過特性により影響を受けた品質特性に基づいて決める手段を更に備えることを特徴とする波長分割多重システムが提供される。
【００１４】
本発明の第６の観点によれば、１以上の低密度波長分割多重伝送システム用の光送信ユニットと、１以上の高密度波長分割多重伝送システム用の光送信ユニットと、前記１以上の高密度波長分割多重伝送システム用の光送信ユニットから出力された光を合波するための第１の光合波ユニットと、前記１以上の低密度波長分割多重伝送システム用の光送信ユニットから出力された光と、前記第１の光合波ユニットから出力された光とを合波するための第２の光合波ユニットと、を備える送信側波長分割多重装置と、前記１以上の低密度波長分割多重伝送システム用の光送信ユニットにそれぞれ対応した１以上の低密度波長分割多重伝送システム用の光受信ユニットと、前記１以上の高密度波長分割多重伝送システム用の光送信ユニットにそれぞれ対応した１以上の高密度波長分割多重伝送システム用の光受信ユニットと、入力した光を前記１以上の高密度波長分割多重伝送システム用の光受信ユニットに分配するための第１の光分波ユニットと、前記送信側波長分割多重装置から入力した光を前記１以上の低密度波長分割多重伝送システム用の光受信ユニットと前記第１の光分波ユニットに分配するための第２の光分波ユニットと、を備える受信側波長分割多重分離装置と、を備える波長分割多重システムにおける送信側波長分割多重装置であって、前記１以上の高密度波長分割多重伝送システム用の光送信ユニットの波長を、前記第１の光合波ユニットの波長透過特性、前記第２の光合波ユニットの波長透過特性、前記第１の光分波ユニットの波長透過特性及び前記第２の光分波ユニットの波長透過特性により影響を受けた品質特性に基づいて決める手段を更に備えることを特徴とする送信側波長分割多重装置が提供される。
【００１５】
本発明の第７の観点によれば、１以上の低密度波長分割多重伝送システム用の光送信ユニットと、１以上の高密度波長分割多重伝送システム用の光送信ユニットと、前記１以上の高密度波長分割多重伝送システム用の光送信ユニットから出力された光を合波するための第１の光合波ユニットと、前記１以上の低密度波長分割多重伝送システム用の光送信ユニットから出力された光と、前記第１の光合波ユニットから出力された光とを合波するための第２の光合波ユニットと、を備える送信側波長分割多重装置と、前記１以上の低密度波長分割多重伝送システム用の光送信ユニットにそれぞれ対応した１以上の低密度波長分割多重伝送システム用の光受信ユニットと、前記１以上の高密度波長分割多重伝送システム用の光送信ユニットにそれぞれ対応した１以上の高密度波長分割多重伝送システム用の光受信ユニットと、入力した光を前記１以上の高密度波長分割多重伝送システム用の光受信ユニットに分配するための第１の光分波ユニットと、前記送信側波長分割多重装置から入力した光を前記１以上の低密度波長分割多重伝送システム用の光受信ユニットと前記第１の光分波ユニットに分配するための第２の光分波ユニットと、を備える受信側波長分割多重分離装置と、を備える波長分割多重システムにおける受信側波長分割多重分離装置であって、前記１以上の高密度波長分割多重伝送システム用の光受信ユニットの波長を、前記第１の光合波ユニットの波長透過特性、前記第２の光合波ユニットの波長透過特性、前記第１の光分波ユニットの波長透過特性及び前記第２の光分波ユニットの波長透過特性により影響を受けた品質特性に基づいて決める手段を更に備えることを特徴とする受信側波長分割多重分離装置が提供される。
【００１６】
本発明の第８の観点によれば、１以上の低密度波長分割多重伝送システム用の光送信ユニットと、１以上の高密度波長分割多重伝送システム用の光送信ユニットと、前記１以上の高密度波長分割多重伝送システム用の光送信ユニットから出力された光を合波するための第１の光合波ユニットと、前記１以上の低密度波長分割多重伝送システム用の光送信ユニットから出力された光と、前記第１の光合波ユニットから出力された光とを合波するための第２の光合波ユニットと、を備える送信側波長分割多重装置と、前記１以上の低密度波長分割多重伝送システム用の光送信ユニットにそれぞれ対応した１以上の低密度波長分割多重伝送システム用の光受信ユニットと、前記１以上の高密度波長分割多重伝送システム用の光送信ユニットにそれぞれ対応した１以上の高密度波長分割多重伝送システム用の光受信ユニットと、入力した光を前記１以上の高密度波長分割多重伝送システム用の光受信ユニットに分配するための第１の光分波ユニットと、前記送信側波長分割多重装置から入力した光を前記１以上の低密度波長分割多重伝送システム用の光受信ユニットと前記第１の光分波ユニットに分配するための第２の光分波ユニットと、を備える受信側波長分割多重分離装置と、を備える波長分割多重システムのための選択用装置であって、前記１以上の高密度波長分割多重伝送システム用の光送信ユニットの波長及び／又は前記１以上の高密度波長分割多重伝送システム用の光受信ユニットの波長を、前記第１の光合波ユニットの波長透過特性、前記第２の光合波ユニットの波長透過特性、前記第１の光分波ユニットの波長透過特性及び前記第２の光分波ユニットの波長透過特性により影響を受けた品質特性に基づいて決める手段を備えることを特徴とする選択用装置が提供される。
【発明の効果】
【００１７】
本発明によれば、低密度波長分割多重伝送システムに高密度波長分割多重伝送システムを組み込んだ際に、品質特性を満たす限り、できる限り多くの高密度波長分割多重伝送システムの信号を増やすことが可能となる。
【図面の簡単な説明】
【００１８】
【図１】本発明の実施形態１によるＣＷＤＭ伝送システムにＤＷＤＭ伝送システムを接続した構成を示す図である。
【図２】通常のＣＷＤＭ信号の多重光信号の構成を示す図である。
【図３】ＣＷＤＭ伝送システムにＤＷＤＭ伝送システムを接続した場合の理想的な多重光信号の構成を示す図である。
【図４】図１に示す光合分波ユニットＣ１、Ｃ２の波長透過特性を示す図である。
【図５】光合分波ユニットＣ１を透過した後の実際の多重光信号の構成を示す図である。
【図６】本発明の実施形態３によるＣＷＤＭ伝送システムにＤＷＤＭ伝送システムを接続した構成を示す図である。
【発明を実施するための形態】
【００１９】
以下、図面を参照して本発明を実施するための形態について詳細に説明する。
【００２０】
本実施形態では、ＤＷＤＭ信号の送信波長ごとに伝送特性を記録することで、ＣＷＤＭ波長帯域内での各波長の伝送特性を検出し、伝送特性が良好な波長を選別して光送信ユニットの波長を設定する。
【００２１】
これにより、伝送特性が最良となる波長に設定することが可能となるほか、必要な伝送特性を確保した上で可能な限り多くのＤＷＤＭ信号をＣＷＤＭ信号帯域に収容することが可能となる。
【００２２】
また、本実施形態は、波長分割多重伝送システムにおいて、ＣＷＤＭ波長のフィルタにＤＷＤＭ波長の光を合波する際に、伝送特性が適切な値となる波長および最適となる波長を選択することを可能とした点を特長としている。
【００２３】
［実施形態１］
図１にＣＷＤＭ伝送システムにＤＷＤＭ伝送システムを接続した構成の１つを示す。
【００２４】
図１において、送信側波長分割多重装置は光送信ユニットＡ１〜Ａｍ（ｍは任意の整数）、光合分波ユニットＣ１、光合分波ユニットＤ１、光送信ユニットＥ１〜Ｅｎ（ｎは任意の整数）を含む。受信側波長分割多重分離装置は光受信ユニットＢ１〜Ｂｍ（ｍは任意の整数）、光合分波ユニットＣ２、光合分波ユニットＤ２、光受信ユニットＦ１〜Ｆｎ（ｎは任意の整数）を含む。
【００２５】
光送信ユニットＡ１〜ＡｍはＣＷＤＭ信号の送信ユニットであり、光受信ユニットＢ１〜ＢｍはＣＷＤＭ信号の受信ユニットである。
【００２６】
光合分波ユニットＣ１、Ｃ２はＣＷＤＭ信号の光合分波ユニットであり、光合分波ユニットＤ１、Ｄ２はＤＷＤＭ信号の光合分波ユニットである。
【００２７】
光合波に利用される光合分波ユニットＣ１、Ｄ１はカプラ、スプリッタ、フィルタ、ＡＷＧ(Arrayed Waveguide Grating)等を含み、光分波に使用される光合分波ユニットＣ２、Ｄ２はフィルタ、ＡＷＧ等を含む。
【００２８】
光送信ユニットＥ１〜ＥｎはＤＷＤＭ信号の送信ユニットであり、光受信ユニットＦ１〜ＦｎはＤＷＤＭ信号の受信ユニットである。
【００２９】
光受信ユニットＦ１〜Ｆｎで観測された伝送特性は監視部Ｇ１、Ｇ２に記録され、光送信ユニットＥ１〜Ｅｎを制御するために利用される。
【００３０】
図２は通常のＣＷＤＭ信号の多重光信号の構成を示す。
【００３１】
図３はＣＷＤＭ伝送システムにＤＷＤＭ伝送システムを接続した場合の理想的な多重光信号の構成を示す。
【００３２】
図４は図１の光合分波ユニットＣ１、Ｃ２の波長透過特性を示す。光合分波ユニットＣ１のＤＷＤＭ波長Ｌ１〜Ｌｎにおける波長透過特性をＰ１〜Ｐｎとし、光合分波ユニットＣ２のＤＷＤＭ波長Ｌ１〜Ｌｎにおける波長透過特性をＱ１〜Ｑｎとする。
【００３３】
図５は光合分波ユニットＣ１を透過した後の実際の多重光信号の構成を示す。
【００３４】
ＣＷＤＭ伝送システムにＤＷＤＭ伝送システムを接続した図１の構成において、光送信ユニットＡ１〜Ａｍから送信されたＣＷＤＭ信号光は、光合分波ユニットＣ１で合波される。同様に光送信ユニットＥ１〜Ｅｎから送信されたＤＷＤＭ信号光は、光合分波ユニットＤ１で合波され、さらに光合分波ユニットＣ１でＣＷＤＭ信号光に合波され、多重光信号として伝送路に出力される。
【００３５】
伝送路に出力された多重光信号は光合分波ユニットＣ２で分離され、ＣＷＤＭ信号光は光受信ユニットＢ１〜Ｂｍで受信される。ＤＷＤＭ信号光は光合分波Ｄ２でさらに分離された後、光受信ユニットＦ１〜Ｆｎで受信される。
【００３６】
ＤＷＤＭ信号光の波長帯域によっては、ＤＷＤＭ波長を透過するため設計された光合分波ユニットＤ１、Ｄ２の他に、光合分波ユニットＣ１、Ｃ２の波長透過特性の影響を強く受ける。
【００３７】
光受信ユニットＦ１〜Ｆｎに入力された波長Ｌ１〜ＬｎのＤＷＤＭ信号光の伝送特性として、ＦＥＣ(Forward Error Correction)訂正前のエラー率や伝送損失、Ｓ／Ｎ比などを監視部Ｇ１、Ｇ２に記録する。
【００３８】
記録された情報を基に、ＣＷＤＭ伝送システムに収容可能なＤＷＤＭ波長数を算出する。
【００３９】
すなわち、例えば、品質特性をＦＥＣ訂正前のエラー率、伝送損失若しくはＳ／Ｎ又はこれらの組合わせとし、その品質特性が所定値以上である波長のＤＷＤＭ信号光のみを利用するようにする。例えば、品質特性の値によっては、利用するＤＷＤＭ信号光を波長Ｌ１乃至Ｌｎのものとし、或いは、利用するＤＷＤＭ信号光を波長Ｌ２乃至Ｌｎ−１のものとする。
【００４０】
このような、利用するＤＷＤＭ信号光の選択は、波長分割多重システムの設置時に人間により行なってもよいし、選択用の装置を用いて行なってもよい。
【００４１】
以上説明したように、本実施形態においては、伝送路のＣＷＤＭ伝送システムに収容可能なＤＷＤＭ波長数を正確に知ることで、波長分離多重伝送システムのＤＷＤＭ信号収容効率を向上することが可能となるという効果が奏される。
【００４２】
［実施形態２］
光合分波ユニットＤ１、Ｄ２を入出力ポートが波長依存性をもたないカプラ（図示せず）やスプリッタ（図示せず）に変更する。光送信ユニットＥ１〜Ｅｎを波長変更可能な光送信ユニットとすることで、１つの光送信ユニットによりＤＷＤＭ波長Ｌ１〜Ｌｎの伝送特性を測定することが可能となる。
【００４３】
［実施形態３］
図６にＣＷＤＭ伝送システムにＤＷＤＭ伝送システムを接続した他の構成を示す。
【００４４】
図６の構成が図１の構成と異なる点は、光合分波ユニットＤ１と光合分波ユニットＤ２とが省かれ、光送信ユニットＥ１〜Ｅｎから出力された光が直接光合分波ユニットＣ１に入力され、光受信ユニットＦ１〜Ｆｎが光合分波ユニットＣ２から出力された光を直接入力する点である。
【００４５】
図１の構成では、光合分波ユニットＤ１がｎ個の光を１つにまとめ、光合分波ユニットＤ２が１つの光をｎ個に分離するため、光合分波ユニットＣ１の入力ポート数及び光合分波ユニットＣ２の出力ポート数よりも、ＤＷＤＭ信号の数とＣＷＤＭ信号の数との総和を多くすることが可能である。これに対し、図６の構成では、光合分波ユニットＤ１と光合分波ユニットＤ２がないため、光合分波ユニットＣ１の入力ポート数及び光合分波ユニットＣ２の出力ポート数よりも、ＤＷＤＭ信号の数とＣＷＤＭ信号の数との総和を多くすることができない。しかし、光合分波ユニットＤ１と光合分波ユニットＤ２がないため、構成を簡単にでき、コストも下げることができる。
【００４６】
この場合ＤＷＤＭ信号の波長収容効率を向上することはできないが、ＣＷＤＭ波長帯域の範囲内でＤＷＤＭ信号光の品質特性が最も良くなる波長を送信波長に選択することで、ＤＷＤＭ伝送システムの品質特性を向上することが可能となる。すなわち、例えば、ＣＷＤＭ波長ｘに収容するＤＷＤＭ伝送システムの光を１つのみとし、品質特性が最もよい波長を選択することによりＤＷＤＭ伝送システムの品質特性を向上することが可能となる。
【００４７】
上記の実施形態の一部又は全部は、以下の付記のようにも記載されうるが、以下には限られない。
【００４８】
（付記１）
１以上の低密度波長分割多重伝送システム用の光送信ユニットと、
複数の高密度波長分割多重伝送システム用の光送信ユニットと、
前記複数の高密度波長分割多重伝送システム用の光送信ユニットから出力された光を合波するための第１の光合波ユニットと、
前記１以上の低密度波長分割多重伝送システム用の光送信ユニットから出力された光と、前記第１の光合波ユニットから出力された光とを合波するための第２の光合波ユニットと、
を備える送信側波長分割多重装置と、
前記１以上の低密度波長分割多重伝送システム用の光送信ユニットにそれぞれ対応した１以上の低密度波長分割多重伝送システム用の光受信ユニットと、
前記複数の高密度波長分割多重伝送システム用の光送信ユニットにそれぞれ対応した複数の高密度波長分割多重伝送システム用の光受信ユニットと、
入力した光を前記複数の高密度波長分割多重伝送システム用の光受信ユニットに分配するための第１の光分波ユニットと、
前記送信側波長分割多重装置から入力した光を前記１以上の低密度波長分割多重伝送システム用の光受信ユニットと前記第１の光分波ユニットに分配するための第２の光分波ユニットと、
を備える受信側波長分割多重分離装置と、
を備える波長分割多重システムであって、
前記複数の高密度波長分割多重伝送システム用の光送信ユニットの数及び波長並びに前記複数の高密度波長分割多重伝送システム用の光受信ユニットの数及び波長は、前記第１の光合波ユニットの波長透過特性、前記第２の光合波ユニットの波長透過特性、前記第１の光分波ユニットの波長透過特性及び前記第２の光分波ユニットの波長透過特性により影響を受けた品質特性に基づいて決められていることを特徴とする波長分割多重システム。
【００４９】
（付記２）
１以上の低密度波長分割多重伝送システム用の光送信ユニットと、
複数の高密度波長分割多重伝送システム用の光送信ユニットと、
前記複数の高密度波長分割多重伝送システム用の光送信ユニットから出力された光を合波するための第１の光合波ユニットと、
前記１以上の低密度波長分割多重伝送システム用の光送信ユニットから出力された光と、前記第１の光合波ユニットから出力された光とを合波するための第２の光合波ユニットと、
を備える送信側波長分割多重装置と、
前記１以上の低密度波長分割多重伝送システム用の光送信ユニットにそれぞれ対応した１以上の低密度波長分割多重伝送システム用の光受信ユニットと、
前記複数の高密度波長分割多重伝送システム用の光送信ユニットにそれぞれ対応した複数の高密度波長分割多重伝送システム用の光受信ユニットと、
入力した光を前記複数の高密度波長分割多重伝送システム用の光受信ユニットに分配するための第１の光分波ユニットと、
前記送信側波長分割多重装置から入力した光を前記１以上の低密度波長分割多重伝送システム用の光受信ユニットと前記第１の光分波ユニットに分配するための第２の光分波ユニットと、
を備える受信側波長分割多重分離装置と、
を備える波長分割多重システムであって、
前記複数の高密度波長分割多重伝送システム用の光送信ユニットの数及び波長並びに前記複数の高密度波長分割多重伝送システム用の光受信ユニットの数及び波長を、前記第１の光合波ユニットの波長透過特性、前記第２の光合波ユニットの波長透過特性、前記第１の光分波ユニットの波長透過特性及び前記第２の光分波ユニットの波長透過特性により影響を受けた品質特性に基づいて決める手段を更に備えることを特徴とする波長分割多重システム。
【００５０】
（付記３）
１以上の低密度波長分割多重伝送システム用の光送信ユニットと、
複数の高密度波長分割多重伝送システム用の光送信ユニットと、
前記複数の高密度波長分割多重伝送システム用の光送信ユニットから出力された光を合波するための第１の光合波ユニットと、
前記１以上の低密度波長分割多重伝送システム用の光送信ユニットから出力された光と、前記第１の光合波ユニットから出力された光とを合波するための第２の光合波ユニットと、
を備える送信側波長分割多重装置と、
前記１以上の低密度波長分割多重伝送システム用の光送信ユニットにそれぞれ対応した１以上の低密度波長分割多重伝送システム用の光受信ユニットと、
前記複数の高密度波長分割多重伝送システム用の光送信ユニットにそれぞれ対応した複数の高密度波長分割多重伝送システム用の光受信ユニットと、
入力した光を前記複数の高密度波長分割多重伝送システム用の光受信ユニットに分配するための第１の光分波ユニットと、
前記送信側波長分割多重装置から入力した光を前記１以上の低密度波長分割多重伝送システム用の光受信ユニットと前記第１の光分波ユニットに分配するための第２の光分波ユニットと、
を備える受信側波長分割多重分離装置と、
を備える波長分割多重システムにおける送信側波長分割多重装置であって、
前記複数の高密度波長分割多重伝送システム用の光送信ユニットの数は、前記第１の光合波ユニットの波長透過特性、前記第２の光合波ユニットの波長透過特性、前記第１の光分波ユニットの波長透過特性及び前記第２の光分波ユニットの波長透過特性により影響を受けた品質特性に基づいて決められていることを特徴とする送信側波長分割多重装置。
【００５１】
（付記４）
１以上の低密度波長分割多重伝送システム用の光送信ユニットと、
複数の高密度波長分割多重伝送システム用の光送信ユニットと、
前記複数の高密度波長分割多重伝送システム用の光送信ユニットから出力された光を合波するための第１の光合波ユニットと、
前記１以上の低密度波長分割多重伝送システム用の光送信ユニットから出力された光と、前記第１の光合波ユニットから出力された光とを合波するための第２の光合波ユニットと、
を備える送信側波長分割多重装置と、
前記１以上の低密度波長分割多重伝送システム用の光送信ユニットにそれぞれ対応した１以上の低密度波長分割多重伝送システム用の光受信ユニットと、
前記複数の高密度波長分割多重伝送システム用の光送信ユニットにそれぞれ対応した複数の高密度波長分割多重伝送システム用の光受信ユニットと、
入力した光を前記複数の高密度波長分割多重伝送システム用の光受信ユニットに分配するための第１の光分波ユニットと、
前記送信側波長分割多重装置から入力した光を前記１以上の低密度波長分割多重伝送システム用の光受信ユニットと前記第１の光分波ユニットに分配するための第２の光分波ユニットと、
を備える受信側波長分割多重分離装置と、
を備える波長分割多重システムにおける受信側波長分割多重分離装置であって、
前記複数の高密度波長分割多重伝送システム用の光送信ユニットの数を、前記第１の光合波ユニットの波長透過特性、前記第２の光合波ユニットの波長透過特性、前記第１の光分波ユニットの波長透過特性及び前記第２の光分波ユニットの波長透過特性により影響を受けた品質特性に基づいて決める手段を更に備えることを特徴とする送信側波長分割多重装置。
【００５２】
（付記５）
１以上の低密度波長分割多重伝送システム用の光送信ユニットと、
複数の高密度波長分割多重伝送システム用の光送信ユニットと、
前記複数の高密度波長分割多重伝送システム用の光送信ユニットから出力された光を合波するための第１の光合波ユニットと、
前記１以上の低密度波長分割多重伝送システム用の光送信ユニットから出力された光と、前記第１の光合波ユニットから出力された光とを合波するための第２の光合波ユニットと、
を備える送信側波長分割多重装置と、
前記１以上の低密度波長分割多重伝送システム用の光送信ユニットにそれぞれ対応した１以上の低密度波長分割多重伝送システム用の光受信ユニットと、
前記複数の高密度波長分割多重伝送システム用の光送信ユニットにそれぞれ対応した複数の高密度波長分割多重伝送システム用の光受信ユニットと、
入力した光を前記複数の高密度波長分割多重伝送システム用の光受信ユニットに分配するための第１の光分波ユニットと、
前記送信側波長分割多重装置から入力した光を前記１以上の低密度波長分割多重伝送システム用の光受信ユニットと前記第１の光分波ユニットに分配するための第２の光分波ユニットと、
を備える受信側波長分割多重分離装置と、
を備える波長分割多重システムにおける受信側波長分割多重分離装置であって、
前記複数の高密度波長分割多重伝送システム用の光受信ユニットの数及び波長は、前記第１の光合波ユニットの波長透過特性、前記第２の光合波ユニットの波長透過特性、前記第１の光分波ユニットの波長透過特性及び前記第２の光分波ユニットの波長透過特性により影響を受けた品質特性に基づいて決められていることを特徴とする受信側波長分割多重分離装置。
【００５３】
（付記６）
１以上の低密度波長分割多重伝送システム用の光送信ユニットと、
複数の高密度波長分割多重伝送システム用の光送信ユニットと、
前記複数の高密度波長分割多重伝送システム用の光送信ユニットから出力された光を合波するための第１の光合波ユニットと、
前記１以上の低密度波長分割多重伝送システム用の光送信ユニットから出力された光と、前記第１の光合波ユニットから出力された光とを合波するための第２の光合波ユニットと、
を備える送信側波長分割多重装置と、
前記１以上の低密度波長分割多重伝送システム用の光送信ユニットにそれぞれ対応した１以上の低密度波長分割多重伝送システム用の光受信ユニットと、
前記複数の高密度波長分割多重伝送システム用の光送信ユニットにそれぞれ対応した複数の高密度波長分割多重伝送システム用の光受信ユニットと、
入力した光を前記複数の高密度波長分割多重伝送システム用の光受信ユニットに分配するための第１の光分波ユニットと、
前記送信側波長分割多重装置から入力した光を前記１以上の低密度波長分割多重伝送システム用の光受信ユニットと前記第１の光分波ユニットに分配するための第２の光分波ユニットと、
を備える受信側波長分割多重分離装置と、
を備える波長分割多重システムにおける受信側波長分割多重分離装置であって、
前記複数の高密度波長分割多重伝送システム用の光受信ユニットの数及び波長を、前記第１の光合波ユニットの波長透過特性、前記第２の光合波ユニットの波長透過特性、前記第１の光分波ユニットの波長透過特性及び前記第２の光分波ユニットの波長透過特性により影響を受けた品質特性に基づいて決める手段を更に備えることを特徴とする受信側波長分割多重分離装置。
【００５４】
（付記７）
１以上の低密度波長分割多重伝送システム用の光送信ユニットと、
１以上の高密度波長分割多重伝送システム用の光送信ユニットと、
前記１以上の低密度波長分割多重伝送システム用の光送信ユニットから出力された光と、前記１以上の高密度波長分割多重システム用の光送信ユニットから出力された光とを合波するための光合波ユニットと、
を備える送信側波長分割多重装置と、
前記１以上の低密度波長分割多重伝送システム用の光送信ユニットにそれぞれ対応した１以上の低密度波長分割多重伝送システム用の光受信ユニットと、
前記１以上の高密度波長分割多重伝送システム用の光送信ユニットにそれぞれ対応した１以上の高密度波長分割多重伝送システム用の光受信ユニットと、
前記送信側波長分割多重装置から入力した光を前記１以上の低密度波長分割多重伝送システム用の光受信ユニットと前記１以上の高密度波長分割多重伝送システム用の光受信ユニットに分配するための光分波ユニットと、
を備える受信側波長分割多重分離装置と、
を備える波長分割多重システムであって、
前記１以上高密度波長分割多重伝送システム用の光送信ユニットの波長及び前記１以上の高密度波長分割多重伝送システム用の光受信ユニットの波長は、前記光合波ユニットの波長透過特性及び前記光分波ユニットの波長透過特性により影響を受けた品質特性に基づいて決められていることを特徴とする波長分割多重システム。
【００５５】
（付記８）
１以上の低密度波長分割多重伝送システム用の光送信ユニットと、
１以上の高密度波長分割多重伝送システム用の光送信ユニットと、
前記１以上の低密度波長分割多重伝送システム用の光送信ユニットから出力された光と、前記１以上の高密度波長分割多重システム用の光送信ユニットから出力された光とを合波するための光合波ユニットと、
を備える送信側波長分割多重装置と、
前記１以上の低密度波長分割多重伝送システム用の光送信ユニットにそれぞれ対応した１以上の低密度波長分割多重伝送システム用の光受信ユニットと、
前記１以上の高密度波長分割多重伝送システム用の光送信ユニットにそれぞれ対応した１以上の高密度波長分割多重伝送システム用の光受信ユニットと、
前記送信側波長分割多重装置から入力した光を前記１以上の低密度波長分割多重伝送システム用の光受信ユニットと前記１以上の高密度波長分割多重伝送システム用の光受信ユニットに分配するための光分波ユニットと、
を備える受信側波長分割多重分離装置と、
を備える波長分割多重システムであって、
前記１以上高密度波長分割多重伝送システム用の光送信ユニットの波長及び前記１以上の高密度波長分割多重伝送システム用の光受信ユニットの波長を、前記光合波ユニットの波長透過特性及び前記光分波ユニットの波長透過特性により影響を受けた品質特性に基づいて決める手段を更に備えることを特徴とする波長分割多重システム。
【００５６】
（付記９）
１以上の低密度波長分割多重伝送システム用の光送信ユニットと、
１以上の高密度波長分割多重伝送システム用の光送信ユニットと、
前記１以上の低密度波長分割多重伝送システム用の光送信ユニットから出力された光と、前記１以上の高密度波長分割多重システム用の光送信ユニットから出力された光とを合波するための光合波ユニットと、
を備える送信側波長分割多重装置と、
前記１以上の低密度波長分割多重伝送システム用の光送信ユニットにそれぞれ対応した１以上の低密度波長分割多重伝送システム用の光受信ユニットと、
前記１以上の高密度波長分割多重伝送システム用の光送信ユニットにそれぞれ対応した１以上の高密度波長分割多重伝送システム用の光受信ユニットと、
前記送信側波長分割多重装置から入力した光を前記１以上の低密度波長分割多重伝送システム用の光受信ユニットと前記１以上の高密度波長分割多重伝送システム用の光受信ユニットに分配するための光分波ユニットと、
を備える受信側波長分割多重分離装置と、
を備える波長分割多重システムにおける送信側波長分割多重装置であって、
前記１以上高密度波長分割多重伝送システム用の光送信ユニットの波長は、前記光合波ユニットの波長透過特性及び前記光分波ユニットの波長透過特性により影響を受けた品質特性に基づいて決められていることを特徴とする送信側波長分割多重装置。
【００５７】
（付記１０）
１以上の低密度波長分割多重伝送システム用の光送信ユニットと、
１以上の高密度波長分割多重伝送システム用の光送信ユニットと、
前記１以上の低密度波長分割多重伝送システム用の光送信ユニットから出力された光と、前記１以上の高密度波長分割多重システム用の光送信ユニットから出力された光とを合波するための光合波ユニットと、
を備える送信側波長分割多重装置と、
前記１以上の低密度波長分割多重伝送システム用の光送信ユニットにそれぞれ対応した１以上の低密度波長分割多重伝送システム用の光受信ユニットと、
前記１以上の高密度波長分割多重伝送システム用の光送信ユニットにそれぞれ対応した１以上の高密度波長分割多重伝送システム用の光受信ユニットと、
前記送信側波長分割多重装置から入力した光を前記１以上の低密度波長分割多重伝送システム用の光受信ユニットと前記１以上の高密度波長分割多重伝送システム用の光受信ユニットに分配するための光分波ユニットと、
を備える受信側波長分割多重分離装置と、
を備える波長分割多重システムにおける送信側波長分割多重装置であって、
前記１以上高密度波長分割多重伝送システム用の光送信ユニットの波長を、前記光合波ユニットの波長透過特性及び前記光分波ユニットの波長透過特性により影響を受けた品質特性に基づいて決める手段を更に備えることを特徴とする送信側波長分割多重装置。
【００５８】
（付記１１）
１以上の低密度波長分割多重伝送システム用の光送信ユニットと、
１以上の高密度波長分割多重伝送システム用の光送信ユニットと、
前記１以上の低密度波長分割多重伝送システム用の光送信ユニットから出力された光と、前記１以上の高密度波長分割多重システム用の光送信ユニットから出力された光とを合波するための光合波ユニットと、
を備える送信側波長分割多重装置と、
前記１以上の低密度波長分割多重伝送システム用の光送信ユニットにそれぞれ対応した１以上の低密度波長分割多重伝送システム用の光受信ユニットと、
前記１以上の高密度波長分割多重伝送システム用の光送信ユニットにそれぞれ対応した１以上の高密度波長分割多重伝送システム用の光受信ユニットと、
前記送信側波長分割多重装置から入力した光を前記１以上の低密度波長分割多重伝送システム用の光受信ユニットと前記１以上の高密度波長分割多重伝送システム用の光受信ユニットに分配するための光分波ユニットと、
を備える受信側波長分割多重分離装置と、
を備える波長分割多重システムにおける受信側波長分割多重分離装置であって、
前記１以上の高密度波長分割多重伝送システム用の光受信ユニットの波長は、前記光合波ユニットの波長透過特性及び前記光分波ユニットの波長透過特性により影響を受けた品質特性に基づいて決められていることを特徴とする受信側波長分割多重分離装置。
【００５９】
（付記１２）
１以上の低密度波長分割多重伝送システム用の光送信ユニットと、
１以上の高密度波長分割多重伝送システム用の光送信ユニットと、
前記１以上の低密度波長分割多重伝送システム用の光送信ユニットから出力された光と、前記１以上の高密度波長分割多重システム用の光送信ユニットから出力された光とを合波するための光合波ユニットと、
を備える送信側波長分割多重装置と、
前記１以上の低密度波長分割多重伝送システム用の光送信ユニットにそれぞれ対応した１以上の低密度波長分割多重伝送システム用の光受信ユニットと、
前記１以上の高密度波長分割多重伝送システム用の光送信ユニットにそれぞれ対応した１以上の高密度波長分割多重伝送システム用の光受信ユニットと、
前記送信側波長分割多重装置から入力した光を前記１以上の低密度波長分割多重伝送システム用の光受信ユニットと前記１以上の高密度波長分割多重伝送システム用の光受信ユニットに分配するための光分波ユニットと、
を備える受信側波長分割多重分離装置と、
を備える波長分割多重システムにおける受信側波長分割多重分離装置であって、
前記１以上の高密度波長分割多重伝送システム用の光受信ユニットの波長を、前記光合波ユニットの波長透過特性及び前記光分波ユニットの波長透過特性により影響を受けた品質特性に基づいて決める手段を更に備えることを特徴とする受信側波長分割多重分離装置。
【符号の説明】
【００６０】
Ａ１〜Ａｍ  光送信ユニット
Ｂ１〜Ｂｍ  光受信ユニット
Ｃ１、Ｃ２、Ｄ１、Ｄ２  光合分波ユニット
Ｅ１〜Ｅｎ  光送信ユニット
Ｆ１〜Ｆｎ  光受信ユニット
Ｇ１、Ｇ２  監視制御部
【図１】
0005760490.tif 000002
【図２】
0005760490.tif 000003
【図３】
0005760490.tif 000004
【図４】
0005760490.tif 000005
【図５】
0005760490.tif 000006
【図６】
0005760490.tif 000007